(57)【特許請求の範囲】
【請求項１】
ピグテールの一端が埋め込まれたブラシと、
前記ピグテールに接続され、他端を口出し線と接合される端子と、
前記ブラシと該ブラシを奥側から整流子に常時押圧するために設けるブラシバネとを収納保持するブラシ箱と、
前記ブラシ箱と前記端子を固定するブラシホルダーとを備えてなり，
前記ブラシ箱の上面に前記ピグテールを引き出すため筒方向にスリットを形成し、
前記ブラシ箱の上面両端のそれぞれに該ブラシ箱から上方にフランジ状に突設して係止部材を、その上面が前記スリットの横から前記ブラシ箱上面の該スリットの形成方向と反対側のブラシ箱上面端部まで形成し、
前記ブラシ箱の上面両端の前記係止部材のそれぞれに前記ブラシ箱の上面のスリットの横の位置に孔を設け、
前記孔にブラシクリップを着脱自在に嵌挿し、
前記ブラシクリップを嵌挿することによって前記ピグテールが前記ブラシクリップに当接して引っ掛け該ピグテールが前記スリットをスライドして抜けるのを防止して前記ブラシを前記ブラシ箱へ仮保持し、前記ブラシクリップを引き抜くことによって前記ピグテールの前記ブラシクリップによる押さえを解除し前記ピグテールが前記スリットをスライドして抜けるようにして前記ブラシの前記ブラシ箱への開放動作を行うようにした
ことを特徴とするモータのブラシ保持装置。
【発明の詳細な説明】
【０００１】
【発明の属する技術分野】
本発明は、自動車の各種アクチュエータなどに使用されるブラシ付きモータのブラシ保持構造に関するものである。
【０００２】
【従来の技術】
従来、ブラシ付きモータではブラシの整流子への押し圧を確保するためにブラシ押しバネが使用されている。
【０００３】
以下に従来のブラシ保持装置について説明する。図４に示すように、ブラシ２はブラシ箱１に収納され保持されている。このブラシ箱１のブラシ２の奥には図示されないがブラシバネが設けられている。また、ブラシ箱１には、ピグテール３を引き出すためのスリット５が設けられており、引き出されたピグテール３の先は導通用の端子４に接合されている。
【０００４】
しかし、上記従来のブラシ保持装置では、整流子が配置されない状態ではブラシバネの弾力によりブラシ２が飛び出ているため、整流子配置の際に一旦ブラシ２を押し込んでやる必要がある。そのために治具が必要となりモータ組立作業が煩雑になる、またこのような構造で組立作業の自動化を実施する際は装置の複雑化、設備費の増加という問題点を有していた。
【０００５】
前述のような問題点を解決するために、例えば特開平９−１６８２５６号公報に記載されているようにブラシ箱のピグテール引き出し用スリットの横にピグテール仮保持用の突起を設け、この突起にピグテールを引っ掛けることによりブラシを仮保持する構造が提案されている。
【０００６】
この構造は、整流子配置後ピグテールに接合されている導通用の端子を撓ませることによりピグテールが浮き上がり、突起から外れ、ブラシがブラシバネの押圧で飛び出すようにしている。
【０００７】
しかしピグテールは、その使用目的から可撓性に富む材料で構成されており、どの方向にも曲がり易く、突起から外れるというような特定の方向に確実に浮かせるためには何らかの規制手段が必要と考えられるが、上記の提案ではこの点についての記載は無い。
【０００８】
【発明が解決しようとする課題】
このような従来の技術は、ブラシ開放作業の確実性について配慮されておらず、特に機械装置によるモータ自動組立を行う際にブラシ開放動作の信頼性確保の点で問題があった。
【０００９】
本発明の目的は、機械装置によるモータ自動組立を行う際にブラシ開放動作の信頼性を確保することのできるモータのブラシ保持装置を提供することにある。
【００１０】
【課題を解決するための手段】
本発明はピグテールが埋め込まれたブラシと、前記ブラシを整流子に押しつけるためのブラシバネと、前記ピグテールと接合され、他端を口出し線と接合される端子と、前記ブラシおよびブラシバネを保持するブラシ箱と、前記ブラシ箱と前記端子が固定されるブラシホルダーを備えたモータのブラシ保持装置であって、前記ブラシ箱に前記ピグテール引き出し用スリットと前記スリットの横に係止部を設け、ここにブラシクリップを係止することによりブラシを仮保持するようにしたものである。
【００１１】
すなわち、上記目的を達成するために、本願請求項１に記載のモータのブラシ保持装置は、ピグテールの一端が埋め込まれたブラシと、
前記ピグテールに接続され、他端を口出し線と接合される端子と、
前記ブラシと該ブラシを奥側から整流子に常時押圧するために設けるブラシバネとを収納保持するブラシ箱と、
前記ブラシ箱と前記端子を固定するブラシホルダーとを備えてなり，
前記ブラシ箱の上面に前記ピグテールを引き出すため筒方向にスリットを形成し、
前記ブラシ箱の上面両端のそれぞれに該ブラシ箱から上方にフランジ状に突設して係止部材を、その上面が前記スリットの横から前記ブラシ箱上面の該スリットの形成方向と反対側のブラシ箱上面端部まで形成し、
前記ブラシ箱の上面両端の前記係止部材のそれぞれに前記ブラシ箱の上面のスリットの横の位置に孔を設け、
前記孔にブラシクリップを着脱自在に嵌挿し、
前記ブラシクリップを嵌挿することによって前記ピグテールが前記ブラシクリップに当接して引っ掛け該ピグテールが前記スリットをスライドして抜けるのを防止して前記ブラシを前記ブラシ箱へ仮保持し、前記ブラシクリップを引き抜くことによって前記ピグテールの前記ブラシクリップによる押さえを解除し前記ピグテールが前記スリットをスライドして抜けるようにして前記ブラシの前記ブラシ箱への開放動作を行うようにしたものである。
このように構成することにより、本願請求項１に記載の発明によると、ブラシが開放され、ブラシバネの押圧で飛び出すときにピグテールが係止部に引っ掛かるのを防止することができ、機械装置によるモータ自動組立を行う際にブラシ開放動作の信頼性を確保することができる。
【００１３】
【発明の実施の形態】
以下、本発明の実施の形態について説明する。
図１には、本発明に係るモータのブラシ保持装置の一実施の形態が示されている。
【００１４】
図において、ブラシ２はブラシ箱１に収納され保持されており、このブラシ箱１の上面には、ピグテール３を引き出すためのスリット５が形成されており、引き出されたピグテール３の先には、導通用の端子４が接合されている。また、このブラシ箱１の上面両端には、ブラシ箱１より上方に突出する係止部材６、７が形成されている。この係止部材６、７は、フランジ状にブラシ箱１上面に突設して形成され、かつ、スリット５の横からブラシ箱１上面のスリット５の形成方向と反対側のブラシ箱１上面端部まで形成されている。
【００１５】
また、このブラシ箱１の奥には、図示されていないブラシバネが設けられており、このブラシバネによって、ブラシ２が図示矢印Ｐに示す方向に常時押圧されている。また、係止部材６、７には、ブラシ箱１上面のスリット５の横の適宜位置に、それぞれ孔１Ａ、１Ｂが設けられている。この孔１Ａ、１Ｂには、ブラシクリップ８が嵌挿するようになっている。
【００１６】
このように構成されるブラシ保持装置の組立にあたっては、まず、ブラシ箱１の上面に形成されたスリット５から先端に導通用の端子４の接合されているピグテール３を引き出した状態で、ブラシ２をブラシ箱１に挿入する。そして、このブラシ２は、ピグテール３が係止部材６、７の孔１Ａ、１Ｂの位置よりもブラシバネ側に位置するまで押し込む。しかる後、係止部材６、７の孔１Ａ、１Ｂに、ブラシクリップ８を、図１に図示の矢印Ｃに示す方向に挿入して係止する。このブラシクリップ８によって、ピグテール３がブラシクリップ８に当接して引っ掛かり、ブラシ２がブラシクリップ８によって仮保持される。
【００１７】
このような状態から、ブラシ保持装置においてブラシ２を開放状態にするには、図２に示す如く行う。すなわち、モータ組立に際し、整流子を配置後、ブラシクリップ８を図２に図示の矢印Ｒに示す方向に引き抜く。すると、ピグテール３は、ブラシクリップ８の押さえが無くなり、ブラシバネの押圧によってブラシ２が図１に図示の矢印Ｐに示す方向に飛び出す。このブラシ２の飛び出しとともにピグテール３はブラシ箱１の上面付近を移動するが、孔１Ａ、１Ｂの形成されている係止部材６、７の上端面が所定高さ位置に保持しながらスリット５の横からブラシ箱１上面のスリット５の形成方向と反対側のブラシ箱１上面端部まで形成されているため、ピグテール３が移動する際の障害になることがはなく、信頼性の高いブラシ開放動作が可能となる。
なお、ブラシクリップ８は鋼線などで作成してあり、先端部はブラシ開放時にピグテール３を傷つけないよう丸みを付けてある。
【００１８】
図３には、本発明に係るモータのブラシ保持装置の他の実施の形態が示されている。本実施の形態が、図１に示される実施の形態と異なる点は、本実施の形態がブラシ箱１の側面にピグテール３を引き出すためのスリット５を設け、ブラシ箱１のスリット５形成面両端に、ブラシ箱１より突出する係止部材６、７を形成し、ブラシ２の仮保持をブラシ箱１の側面で行うようにしてある点である。
【００１９】
本願請求項１に記載の発明によれば、ブラシ箱にピグテール引き出し用スリットと、スリットの横にピグテール仮保持用のブラシクリップを保持するための係止部材とを設け、ピグテール仮保持用のブラシクリップを保持するための係止部材の上面を、スリットの横からブラシ箱上面のスリットの形成方向と反対側のブラシ箱上面端部まで形成してあるため、ブラシが開放され、ブラシバネの押圧で飛び出すときにブラシクリップを装着する係止部材がピグテール移動の障害になることがなく、ピグテールが係止部に引っ掛かるのを防止することができ、係止部材にブラシクリップを着脱することにより、ブラシの仮保持および開放を行うため、ブラシの開放動作を確実に行うことができ、モータの自動組立に好適なブラシ保持装置を提供することができる。
【図面の簡単な説明】
【図１】本発明に係るモータのブラシ保持装置の実施の形態を示す斜視図である。
【図２】図１に図示の実施の形態におけるブラシ保持装置のブラシ開放状態を示す斜視図である。
【図３】本発明に係るモータのブラシ保持装置の他の実施の形態を示す斜視図である。
【図４】従来のブラシ保持装置を示す斜視図である。
【符号の説明】
１……ブラシ箱、１Ａ、１Ｂ……孔、２……ブラシ、３……ピグテール、４……端子、５……スリット、６、７……係止部材、８……ブラシクリップ
【図１】
0004836324.tif 000002
【図２】
0004836324.tif 000003
【図３】
0004836324.tif 000004
【図４】
0004836324.tif 000005